(57)【要約】      （修正有）【課題】操作が簡単で、快速に収納でき、占用空間を節約できる収束可能の掛け棚構造を提供する。【解決手段】主として、二つの縦棒ジョイントと、縦棒ジョイント上に設置された二つの掛け棚とが、含有される。縦棒ジョイントの内部が、Ｙ型槽になり、Ｙ型槽の内部に、それぞれ対称的に、第一行き止めリブと第二行き止めリブが設置され、また、縦棒ジョイントの中央に、縦方向の嵌設管が形成され、それぞれ掛け棚の両側にある枠フレームの柱棒から伸びる第一係止端と第二係止端が、二つの縦棒ジョイントの間に挿設されて、それぞれ、第一、二行き止めリブに係止されることにより、位置付けられる。掛け棚を、外から上へ変位させると、第一、二係止端が、第一、二行き止めリブによる制限から脱離し、Ｙ型槽の直槽に落下して収納される。【選択図】図２
0003162188.tif 000002
【実用新案登録請求の範囲】
【請求項１】
主として、二つの縦棒ジョイントと、上記縦棒ジョイント上に設置された二つの掛け棚とが、含有される収束可能の掛け棚構造であって、
上記縦棒ジョイントの内部が、Ｙ型槽になり、上記Ｙ型槽の内部に、それぞれ、対称的に、第一行き止めリブと第二行き止めリブが設置され、また、上記縦棒ジョイントの中央において、縦方向の嵌設管が形成され、
それぞれ、上記掛け棚の両側にある枠フレームの柱棒から伸びる第一係止端と第二係止端が、二つの縦棒ジョイントの間に挿設されて、それぞれ、第一、二行き止めリブに係止されることにより、位置付けられる、
ことを特徴とする収束可能の掛け棚構造。
【請求項２】
第一行き止めリブが、Ｙ型槽内部の側辺の内縁の中段に位置し、第二行き止めリブが、第一行き止めリブよりやや高いように外側辺の内縁に位置し、また、上記第二行き止めリブの末端に、上へ伸びる突起が形成されることを特徴とする請求項１に記載の収束可能の掛け棚構造。
【請求項３】
上記嵌設管から、横嵌設管が形成されることを特徴とする請求項１に記載の収束可能の掛け棚構造。
【請求項４】
上記掛け棚の両側から、それぞれ、二つの縦棒ジョイントの間に挿設される第一係止端と第二係止端とが、伸び、第一係止端が、縦棒ジョイントＹ型槽の第一行き止めリブの下縁に係止され、第二係止端が、縦棒ジョイントＹ型槽の第二行き止めリブの上縁に掛けられることを特徴とする請求項１に記載の収束可能の掛け棚構造。
【請求項５】
上記縦棒ジョイントの嵌設管の一端が、封閉端であることを特徴とする請求項１に記載の収束可能の掛け棚構造。
【請求項６】
主として、縦棒ジョイントと、上記縦棒ジョイント上に設置された二つの掛け棚とが、含有される収束可能の掛け棚構造であって、
上記縦棒ジョイントの両側に、それぞれ、Ｙ型槽が形成され、Ｙ型槽の中間において、仕切り板により、隔離され、また、上記両側にあるＹ型槽の両斜面槽の内部に、対称的に、第一行き止めリブと第二行き止めリブとが設置され、また、上記縦棒ジョイントの両側にある斜面槽の内部側辺において、第一行き止めリブよりやや低い位置に、それぞれ、中間仕切り板まで、欠け口が形成され、また、上記縦棒ジョイントの中央に、縦方向の嵌設管が設置され、
上記掛け棚の内部側枠フレームの中央に、係止端が形成され、縦棒ジョイントの欠け口から挿入して、それぞれ、第一、二行き止めリブに係止されることにより、位置付けられる、
ことを特徴とする収束可能の掛け棚構造。
【請求項７】
上記第一行き止めリブが、内部側辺の内縁の中段に位置し、第二行き止めリブが、第一行き止めリブよりやや高いように外側辺の内縁に位置し、また、上記第二行き止めリブの末端に、上へ伸びる突起が形成されることを特徴とする請求項６に記載の収束可能の掛け棚構造。
【請求項８】
上記係止端が、内部側枠フレームと、上記枠フレームに隣り合う掛け棒とを、結合した二つの対向するＬ形状柱棒から形成され、二つの対向するＬ形状柱棒の一端において、内部側枠フレームから突出し、同時に、上記内部側枠フレームにおいて、二つのＬ形状柱棒の間に、隙間が形成され、上記間隙で、縦棒ジョイントの左右にある欠け口を通すことを特徴とする請求項６に記載の収束可能の掛け棚構造。
【請求項９】
上記縦棒ジョイントの嵌設管の一端が、封閉端であることを特徴とする請求項６に記載の収束可能の掛け棚構造。
【考案の詳細な説明】
【技術分野】
【０００１】
本考案は、掛け棚に関し、特に、タオルや衣物等を掛けるや吊り下げることができ、また、快速的に収束でき、占用空間を低下できる収束可能の掛け棚構造に関する。
【背景技術】
【０００２】
従来の吊り下げ棚は、主として、単一横棒や両棒式に設計され、また、固定式の構造が多く、衣物やタオル…等を吊り下げることや掛けることができるが、組立てられると、折畳んで収納することができず、膨大な空間を占用し、また、単一横棒や両棒式の吊り下げ棚は、吊り下げ機能しかないため、衣物を開いて放置する機能が得られない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、操作が簡単で、快速に収納でき、占用空間を節約できる収束可能の掛け棚構造を提供する。
【課題を解決するための手段】
【０００５】
請求項１の考案は、主として、二つの縦棒ジョイントと、上記縦棒ジョイント上に設置された二つの掛け棚とが、含有される収束可能の掛け棚構造であって、上記縦棒ジョイントの内部が、Ｙ型槽になり、上記Ｙ型槽の内部に、それぞれ、対称的に、第一行き止めリブと第二行き止めリブが設置され、また、上記縦棒ジョイントの中央において、縦方向の嵌設管が形成され、それぞれ、上記掛け棚の両側にある枠フレームの柱棒から伸びる第一係止端と第二係止端が、二つの縦棒ジョイントの間に挿設されて、それぞれ、第一、二行き止めリブに係止されることにより、位置付けられる、ことを特徴とする収束可能の掛け棚構造である。
【０００６】
請求項２の考案は、第一行き止めリブが、Ｙ型槽内部の側辺の内縁の中段に位置し、第二行き止めリブが、第一行き止めリブよりやや高いように外側辺の内縁に位置し、また、上記第二行き止めリブの末端に、上へ伸びる突起が形成されることを特徴とする請求項１に記載の収束可能の掛け棚構造である。
【０００７】
請求項３の考案は、上記嵌設管から、横嵌設管が形成されることを特徴とする請求項１に記載の収束可能の掛け棚構造である。
【０００８】
請求項４の考案は、上記掛け棚の両側から、それぞれ、二つの縦棒ジョイントの間に挿設される第一係止端と第二係止端とが、伸び、第一係止端が、縦棒ジョイントＹ型槽の第一行き止めリブの下縁に係止され、第二係止端が、縦棒ジョイントＹ型槽の第二行き止めリブの上縁に掛けられることを特徴とする請求項１に記載の収束可能の掛け棚構造である。
【０００９】
請求項５の考案は、上記縦棒ジョイントの嵌設管の一端が、封閉端であることを特徴とする請求項１に記載の収束可能の掛け棚構造である。
【００１０】
請求項６の考案は、主として、縦棒ジョイントと、上記縦棒ジョイント上に設置された二つの掛け棚とが、含有される収束可能の掛け棚構造であって、上記縦棒ジョイントの両側に、それぞれ、Ｙ型槽が形成され、Ｙ型槽の中間において、仕切り板により、隔離され、まＴ、上記両側にあるＹ型槽の両斜面槽の内部に、対称的に、第一行き止めリブと第二行き止めリブとが設置され、また、上記縦棒ジョイントの両側にある斜面槽の内部側辺において、第一行き止めリブよりやや低い位置に、それぞれ、中間仕切り板まで、欠け口が形成され、また、上記縦棒ジョイントの中央に、縦方向の嵌設管が設置され、上記掛け棚の内部側枠フレームの中央に、係止端が形成され、縦棒ジョイントの欠け口から挿入して、それぞれ、第一、二行き止めリブに係止されることにより、位置付けられる、ことを特徴とする収束可能の掛け棚構造である。
【００１１】
請求項７の考案は、上記第一行き止めリブが、内部側辺の内縁の中段に位置し、第二行き止めリブが、第一行き止めリブよりやや高いように外側辺の内縁に位置し、また、上記第二行き止めリブの末端に、上へ伸びる突起が形成されることを特徴とする請求項６に記載の収束可能の掛け棚構造である。
【００１２】
請求項８の考案は、上記係止端が、内部側枠フレームと、上記枠フレームに隣り合う掛け棒とを、結合した二つの対向するＬ形状柱棒から形成され、二つの対向するＬ形状柱棒の一端において、内部側枠フレームから突出し、同時に、上記内部側枠フレームにおいて、二つのＬ形状柱棒の間に、隙間が形成され、上記間隙で、縦棒ジョイントの左右にある欠け口を通すことを特徴とする請求項６に記載の収束可能の掛け棚構造である。
【００１３】
請求項９の考案は、上記縦棒ジョイントの嵌設管の一端が、封閉端であることを特徴とする請求項６に記載の収束可能の掛け棚構造である。
【００１４】
以下、図面を参照しながら、本考案の特徴や技術内容について、詳しく説明するが、それらの図面等は、参考や説明のためであり、本考案は、それによって制限されることが無い。
【考案を実施するための形態】
【００１５】
図１と図２を参照しながら、本考案の第一実施例は、主として、二つの縦棒ジョイント１０と、上記縦棒ジョイント１０上に設置された二つの掛け棚２０とが、含有され、上記らの縦棒ジョイント１０は、図３のように、内部が、Ｙ型槽１１になり、上記Ｙ型槽１１の両斜面槽１１０の内部に、対称的に、第一行き止めリブ１１１と第二行き止めリブ１１２が設置され、また、第一行き止めリブ１１１が、ほぼ、内部側辺の内縁の中段に位置し、第二行き止めリブ１１２が、ほぼ、第一行き止めリブ１１１よりやや高いように、外側辺の内縁に位置し、また、上記第二行き止めリブ１１２の末端に、上へ伸びる突起１１２０が形成され、また、上記縦棒ジョイント１０の中央において、フレーム体Ａの縦棒Ａ１に嵌設されるために、縦方向の嵌設管１２が形成され、そして、上記嵌設管１２から、横棒Ａ２を嵌設するために、横嵌設管１３が伸び、上記らの掛け棚２０は、二つの縦棒ジョイント１０の間に挿設され、図２のように、金属条からなる矩形枠フレーム２１と、枠フレームの内部に位置する若干の掛け棒２２とから構成され、両側において、内部から外へ、順に、それぞれ、枠フレーム２１の柱棒から第一係止端２３と第二係止端２４が配列され、上記第一係止端２３は、側辺柱棒から伸びてから外へ湾曲され、第二係止端２４は、内部辺条から伸び、また、上記両係止端２３、２４は、適当に離間され、上記両係止端２３、２４が、縦棒ジョイント１０のＹ型槽１１に挿設される時、上記第一係止端２３が、縦棒ジョイント１０のＹ型槽１１の第一行き止めリブ１１１の下縁に係止され、第二係止端１１２が、縦棒ジョイント１０のＹ型槽１１の第二行き止めリブ１１２の上縁に掛けられる。
【００１６】
また、図４と図５を参照しながら、本考案に係る掛け棚２０に設置された第一係止端２３が、縦棒ジョイント１０のＹ型槽１１の第一行き止めリブ１１１の下縁に係止され、上記第二係止端２４が、第二行き止めリブ１１２の上縁に掛けられ、また、掛け棚２０自身の重量により、上記第一、二係止端２３、２４は、Ｙ型槽１１の第一、二行き止めリブ１１１、１１２によって、交互に制限され、両側に位置する掛け棚２０が、簡単に位置付けられ、弛めることなく、タオルや衣物等を掛けて乾すことができる。
【００１７】
上記掛け棚２０を収納する場合、掛け棚２０を、外から上へ変位させると、上記第一、二係止端２３、２４は、それとともに、第一、二行き止めリブ１１１、１１２による制限から脱離し、Ｙ型槽１１の直槽１１３に落下して収納される（図６のように）。
【００１８】
また、縦棒ジョイント１０のＹ型槽１１の第二行き止めリブ１１２の末端に、突起１１２０が設置されているため、掛け棚２０が変位して滑り落ちることを防止できる。
【００１９】
図７は、本考案をフレーム体Ａに組立てる状態の実施例立体図であり、上記縦棒Ａ１の末端に位置する縦棒ジョイント１０の嵌設管１２の一端が、封閉端に形成され、これにより、上記掛け棚２０は、縦棒Ａ１の長さに応じて、適当に、数段の縦棒ジョイント１０と掛け棚２０とが設置されることができ、数段の吊り下げ機能のフレーム体Ａが形成され、また、上記縦棒Ａ１に嵌設された縦棒ジョイント１０の下端において、拘束部材Ａ３を、ストッパーとして設置し、縦棒ジョイント１０が、縦棒Ａ１上を摺動することを防止する。
【００２０】
図８は、本考案を、単一棒式衣服スタンドＢの両側にある伸縮管に組立てる状態の実施例立体図であり、図から分かるように、本考案は、二つの縦棒ジョイント１０により、伸縮管の内部管Ｂ１上に嵌設され、また、伸縮管の拘束スリーブＢ２により、位置付けられ、これにより、上記衣服スタンドＢの中層に、本考案の折畳み式掛け棚が形成され、衣物やタオルなどを吊り下げるや掛けることができる。
【００２１】
図９は、本考案を、ベースを収納可能の衣服スタンドＣに適用する場合の実施例立体図であり、同じように、両縦棒ジョイント１０で、伸縮可能のベースＣ１の縦棒Ｃ２上に嵌設され、また、ベースＣ１と縦棒Ｃ２の折畳み座Ｃ３とを、ストッパーとして、位置付けられ、より多い、衣物やタオルなどを吊り下げる使用空間を提供し、使用しない時、垂直的に収束して、保管空間を節約できる、実用的な設計である。
【００２２】
図１０〜図１４を参照しながら、本考案の第二実施例は、主として、上記縦棒ジョイント３０を、単一縦棒スタンドＤ上に適用する構造設計であり、本実施例において、上記縦棒ジョイント３０のＹ型槽３１が、両側に形成され、中間において、仕切り板３２により隔離され、また、上記両側にあるＹ型槽３１の両斜面槽３１０の内部において、同じように、対称的に、第一行き止めリブ３１１と第二行き止めリブ３１２が、設置され、第一行き止めリブ３１１が、ほぼ、内部側辺の内縁の中段に位置し、第二行き止めリブ３１２が、ほぼ、第一行き止めリブ３１１よりやや高いように外側辺の内縁に位置し、また、上記第二行き止めリブ３１２の末端に、上へ伸びる突起３１２０が形成され、そして、上記縦棒ジョイント３０の両側にある斜面槽３１０の内部側辺において、第一行き止めリブ３１１よりやや低い位置に、それぞれ、中間仕切り板３２までに、欠け口３３が形成され、上記縦棒ジョイント３０の中央において、同じように、縦棒スタンドＤの縦棒Ｄ１上に嵌設されるために、縦方向の嵌設管３４が設置され、図１１のように、上記掛け棚４０も、金属条から形成された矩形枠フレーム４１と、枠フレーム４１の内部に位置する若干の掛け棒４２とから構成され、内部側枠フレーム４１の中央位置に、係止端４３が設置され、上記係止端４３は、内部側枠フレーム４１と、上記枠フレーム４１に隣り合う掛け棒４２とを、結合した二つの対向するＬ形状柱棒４３０から形成され、二つの対向するＬ形柱４３０棒の一端から、内部側枠フレーム４１が突出し、同時に、上記内部側枠フレーム４１において、両Ｌ形状柱棒４３０の間に、間隙が形成され、上記間隙で、縦棒ジョイント３０の左右にある欠け口３３を通し、これにより、上記両Ｌ形状柱棒４３０の横方向の外端が、第一係止端４３１になり、Ｌ形状柱棒４３０と交差する内部側枠フレーム４１が、第二係止端４３２になり、両掛け棚４０は、上記第一、二係止端４３１、４３２が、それぞれ、縦棒ジョイント３０の欠け口３３の内部に挿入することができ、両掛け棚４０が展開された後、上記第一、二係止端４３１、４３２が、それぞれ、第一、二行き止めリブ３１１、３１２に係止されて位置付けられ、使用しない時、上記の第一実施例と同じように、両掛け棚４０を、外から上へ変位させ、上記第一、二係止端４３１、４３２が、第一、二行き止めリブ３１１、３１２による制限から脱離し、Ｙ型槽３１の直槽３１３に落下して収納される（図１４のように）。
【００２３】
第一実施例と同じように、本実施例の縦棒Ｄ１の末端に位置する縦棒ジョイント３０の嵌設管３４の一端が、封閉端であってもよい。
【００２４】
以上の説明から分かるように、本考案は、縦棒ジョイントと、フレーム体との巧妙設計により、上記構成である掛け棚が、簡単且つ快速的に展開や収束機能を有し、また、占用空間を節約でき、そして、組立て形態が多様化で、ユーザーの使用環境や好みに応じて応用でき、実用性や新鋭性を有する。
【００２５】
そのため、本考案は、より進歩的かつより実用的で、法に従って実用新案登録請求を出願する。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２７】
【図１】本考案の第一実施例の立体組立て図
【図２】本考案の第一実施例の立体分解図
【図３】本考案の第一実施例の縦棒ジョイントの立体図
【図４】本考案の第一実施例の縦棒ジョイントと掛け棚の展開と収束状態の平面概念図
【図５】本考案の第一実施例の組立て断面概念図
【図６】本考案の第一実施例の収束状態の立体図
【図７】本考案の第一実施例のフレーム体に組立てられる状態の立体図
【図８】本考案の第一実施例の他のフレーム体に組立てられる状態の立体図
【図９】本考案の第一実施例の更に他のフレーム体に組立てされる状態の立体図
【図１０】本考案の第二実施例の立体組立て図
【図１１】本考案の第二実施例の立体分解図
【図１２】本考案の第二実施例の縦棒ジョイントの立体図
【図１３】本考案の第二実施例の縦棒ジョイントと掛け棚の展開と収束状態の平面概念図
【図１４】本考案の第二実施例の収束状態の立体図
【図１５】本考案の第二実施例の単一縦棒スタンドに組立てられる状態上の立体図
【符号の説明】
【００２８】
１０    縦棒ジョイント  
１１    Ｙ型槽
１１０   斜面槽
１１１   第一行き止めリブ
１１２   第二行き止めリブ
１１２０  突起
１１３   直槽
１２    嵌設管
１３    横嵌設管
２０    掛け棚
２１    枠フレーム
２２    掛け棒
２３    第一係止端
２４    第二係止端
Ａ     フレーム体
Ａ１    縦棒
Ａ２    横棒
Ａ３    拘束部材
Ｂ     衣服スタンド
Ｂ１    内部管
Ｂ２    拘束スリーブ
Ｃ     衣服スタンド
Ｃ１    ベース
Ｃ２    縦棒
Ｃ３    折畳み座
３０    縦棒ジョイント
３１    Ｙ型槽
３１０   斜面槽
３１１   第一行き止めリブ
３１２   第二行き止めリブ
３１２０ 突起
３２    仕切り板
３３    欠け口
３４    嵌設管
４０    掛け棚
４１   枠フレーム
４２    掛け棒
４３    係止端
４３０   Ｌ形状柱棒
４３１   第一係止端
４３２   第二係止端
Ｄ     縦棒スタンド
Ｄ１    縦棒
【図１】
0003162188.tif 000003
【図２】
0003162188.tif 000004
【図３】
0003162188.tif 000005
【図４】
0003162188.tif 000006
【図５】
0003162188.tif 000007
【図６】
0003162188.tif 000008
【図７】
0003162188.tif 000009
【図８】
0003162188.tif 000010
【図９】
0003162188.tif 000011
【図１０】
0003162188.tif 000012
【図１１】
0003162188.tif 000013
【図１２】
0003162188.tif 000014
【図１３】
0003162188.tif 000015
【図１４】
0003162188.tif 000016
【図１５】
0003162188.tif 000017
【手続補正書】
【提出日】平成22年6月18日(2010.6.18)
【手続補正１】
【補正対象書類名】実用新案登録請求の範囲
【補正対象項目名】請求項８
【補正方法】変更
【補正の内容】
【請求項８】
上記係止端が、内部側枠フレームと、上記枠フレームに隣り合う掛け棒とを、結合した二つの対向するＬ形状柱棒から形成され、二つの対向するＬ形状柱棒の一端において、内部側枠フレームから突出し、同時に、上記内部側枠フレームにおいて、二つのＬ形状柱棒の間に、隙間が形成され、上記隙間で、縦棒ジョイントの左右にある欠け口を通すことを特徴とする請求項６に記載の収束可能の掛け棚構造。